(57)【要約】【課題】美化作業中に落下させてしまうことを防ぐことができる落下予防機能付き美化用具を提供することである。【解決手段】美化用具に落下予防紐を装着し、前記落下予防紐の前記美化用具に装着された側とは別の側を所定場所に固定して用いることを特徴とする。【選択図】  図１
2004159728.tif 000002
【特許請求の範囲】
【請求項１】
美化用具に落下予防紐を装着し、前記落下予防紐の前記美化用具に装着された側とは別の側を所定場所に固定して用いることを特徴とする落下予防機能付き美化用具。
【請求項２】
美化用具と所定場所とを連結するための落下予防紐を取り付ける取付口を有することを特徴とする美化用具。
【請求項３】
美化用具と所定場所とを連結することによって前記美化用具の落下を防止することを特徴とする落下予防紐。
【発明の詳細な説明】
【０００１】
【発明の属する技術分野】
本発明は、日常生活や業務で行う自動車や住居等の清掃・艶だしに代表される美化作業を行うための用具であって、落下予防機能付き美化用具、美化用具および落下予防紐に関する。
【０００２】
【従来の技術】
日常生活や業務で行う自動車や住居等の清掃・艶だしに代表される美化作業を行うための用具としてはウレタン素材に代表されるスポンジ、不織布、セーム皮や木綿布等が用いられる。これらは市販品を購入する、あるいは衣類等の再利用が一般である。
【０００３】
また、特許文献１には、接着剤や溶着等の作業を必要とせず、組み立てが容易で生産性が高く、塗布具、ワックス、布片等が不要で自動車ボディの艶出し作業に好適な表面処理具が記載されている。
【０００４】
【特許文献１】
特開２００２−２８５５６号公報
【発明が解決しようとする課題】
ところで、自動車や住居等の清掃・艶だしに代表される美化作業を行う対象の状態は水平な面のみではなく、垂直な面や高所または十分な作業空間の確保が困難な場所も対象であることが多い。
【０００５】
このような垂直面等を美化する状況では、美化作業中に手が滑ったりして美化用具を落下させてしまうことがしばしば発生する。
【０００６】
落下した美化用具には、落下面に存在する塵や砂等が付着してしまうことにより、美化用具自体の清掃や廃棄、交換等を余儀なくされ、作業効率を著しく阻害する要因となっている。
【０００７】
これらの問題は、特許文献１に記載されている表面処理具であっても同様に生じる問題である。
【０００８】
本発明は上記の点にかんがみてなされたもので、美化作業中に落下させてしまうことを防ぐことができる落下予防機能付き美化用具を提供することを目的とする。
【０００９】
【課題を解決するための手段】
本発明の落下予防機能付き美化用具は上記の目的を達成するために、美化用具に落下予防紐を装着し、前記落下予防紐の前記美化用具に装着された側とは別の側を所定場所に固定して用いることを特徴とする。
【００１０】
また本発明の美化用具は、美化用具と所定場所とを連結するための落下予防紐を取り付ける取付口を有することを特徴とする。
【００１１】
また本発明の落下予防紐は、美化用具と所定場所とを連結することによって前記美化用具の落下を防止することを特徴とする。
【００１２】
本発明は、自動車や住居等の清掃・艶だしに代表される美化作業に用いられる用具に落下防止機能を持たせたものを提供することで、垂直面や高所または十分な作業空間の確保が困難な場所の美化作業を効率化を図るものである。
【００１３】
【発明の実施の形態】
以下、本発明の実施の形態を図面を参照して説明する。
【００１４】
図１は、本発明の一実施の形態による落下予防機能付き美化用具の外観を示す斜視図であり、（ａ）は美化用具の一例のスポンジを示す図であり、（ｂ）は落下予防用紐を示す図であり、（ｃ）はスポンジと落下予防用紐とを組立てて成る落下予防機能付き美化用具を示す図である。
【００１５】
図１（ａ）にはスポンジ１を図示している。このスポンジ１はたとえばウレタン素材で形成され、穴１ａ、１ｂが設けられている以外は、従来から知られたスポンジを用いることができる。穴１ａ、１ｂは、それぞれスポンジ１を貫通するように設けられており、後述するように落下予防紐の取付口となる。
【００１６】
図１（ｂ）には落下予防紐２を図示している。この落下予防紐２はたとえばゴムまたは軟質樹脂によって形成されており、美化作業中にこの落下予防紐２が濡れた状態でたとえば手首に捲きつけた場合にも、使用者が不快感を感じない感触が得られる素材で形成するのが好ましい。
【００１７】
落下予防紐２の一端には輪状部２ａが設けられ、この輪状部２ａの輪の大きさは、多端の先端部２ｂを通すことができる程度の大きさで設けられている。また、落下予防紐２の長さは３０〜５０ｃｍ程度であることが好ましい。
【００１８】
図１（ｃ）にはスポンジ１と落下予防用紐２とを組立てて成る落下予防機能付き美化用具４を図示している。
【００１９】
スポンジ１と落下予防用紐２とを組立てるには、図１（ｃ）に示すように、スポンジ１の貫通穴１ａおよび１ｂに落下予防紐２の先端部２ｂを順番に通し、さらに輪状部２ａの輪に先端部２ｂを通す。
【００２０】
また、本実施の形態の落下予防機能付き美化用具４では、スポンジ１と落下予防用紐２とを組立てた上で、図１（ｃ）に示すように、たとえばビニール製のチューブ３を用意し、このチューブ３の穴の一方から先端部２ｂを通し、さらにチューブ３の穴の他方から先端部２ｂを通すことによって、落下予防紐２による輪を形成し、これをチューブ３によって固定する。このようにすることによって輪の大きさを自在に且つ容易に調節することができる。
【００２１】
本実施の形態の落下予防機能付き美化用具４を用いる際には、図１（ｃ）に示したチューブ３によって固定され落下予防紐２によって形成された輪に手首を入れ、そのほかは従来の美化用具と同様に使用する。
【００２２】
なお、図１（ａ）〜（ｃ）に示した実施の形態では、スポンジ１と落下予防紐２とをつなぐ強度を確保するために、スポンジ１に穴１ａおよび１ｂを設けたが、本発明はこれに限られるものではなく、スポンジ１に設ける穴は１つでもよく、スポンジ１と落下予防紐２とを簡易な方法でつなげられればよい。
【００２３】
図２は、本発明の図１とは別の実施の形態による落下予防機能付き美化用具の外観を示す斜視図であり、（ａ）は美化用具の一例のセーム皮を示す図であり、（ｂ）はセーム皮と落下予防用紐とを組立てて成る落下予防機能付き美化用具を示す図である。
【００２４】
図２（ａ）にはセーム皮５を図示している。このセーム皮５は天然でも合成でもかまわない。セーム皮５は、穴５ａ、５ｂが設けられている以外は、従来から知られたセーム皮を用いることができる。穴５ａ、５ｂは、それぞれセーム皮５を貫通するように設けられており、後述するように落下予防紐の取付口となる。なお、５ｃは、セーム皮５と落下予防用紐２とを組立てる際にセーム皮５を折る折位置である。
【００２５】
なお、本実施の形態における落下予防紐は、図１（ｂ）に示した落下予防紐２と同様であるので、詳しい説明は省略し、図１（ｂ）に示した落下予防紐２を用いて説明する。
【００２６】
図２（ｂ）にはセーム皮５と落下予防用紐２とを組立てて成る落下予防機能付き美化用具６を図示している。
【００２７】
セーム皮５と落下予防用紐２とを組立てるには、図２（ｂ）に示すように、セーム皮５を折位置５ｃにて折り、穴５ａと穴５ｂとを重ね、そこに落下予防紐２の先端部２ｂを通し、さらに輪状部２ａの輪に先端部２ｂを通す。
【００２８】
また、本実施の形態の落下予防機能付き美化用具６も、図１（ｃ）に示した落下予防機能付き美化用具４と同様に、図２（ｂ）に示すように、たとえばビニール製のチューブ３を用意し、このチューブ３の穴の一方から先端部２ｂを通し、さらにチューブ３の穴の他方から先端部２ｂを通すことによって、落下予防紐２による輪を形成し、これをチューブ３によって固定する。このようにすることによって輪の大きさを自在に且つ容易に調節することができる。
【００２９】
本実施の形態の落下予防機能付き美化用具６を用いる際には、図２（ｂ）に示したチューブ３によって固定され落下予防紐２によって形成された輪に手首を入れ、そのほかは従来の美化用具と同様に使用する。
【００３０】
なお、図２（ａ）〜（ｂ）に示した実施の形態では、セーム皮５と落下予防紐２とをつなぐ強度を確保するために、セーム皮５に穴５ａおよび５ｂを設けたが、本発明はこれに限られるものではなく、セーム皮５に設ける穴は１つでもよく、セーム皮５と落下予防紐２とを簡易な方法でつなげられればよい。
【００３１】
なお、本実施の形態ではセーム皮を用いる場合について説明したが、本発明はこれに限られるものではなく、セーム皮と同様に、不織布やそのほか通常の布等であっても用いることができることはいうまでもない。
【００３２】
図３は、本発明の図１および図２とは別の実施の形態による落下予防機能付き美化用具の外観を示す斜視図である。
【００３３】
図３に示す落下予防機能付き美化用具８では、図１や図２に示した実施の形態のように落下予防紐２によって輪を形成してチューブ３によって固定することはせず、落下予防紐２に吸盤７を設けている。
【００３４】
本実施の形態の落下予防機能付き美化用具６を用いる際には、図３に示した吸盤７をたとえば美化対象の平面に吸着させ、そのほかは従来の美化用具と同様に使用する。
【００３５】
ここで、本発明による落下予防機能付き美化用具を用いて、自動車外装の美化作業する場合を例として詳細に説明する。
【００３６】
たとえば自動車外装の美化作業の一般例を記すと、１）水洗いまたは洗剤洗い、２）水分ふき取り乾燥、３）艶だしまたは外装保護剤の塗布作業に大別することができる。美化作業としては１）および２）のみの場合もある。
【００３７】
１）水洗いまたは洗剤洗い作業に、長さ３０〜５０ｃｍ程度のゴムまたは軟質樹脂による紐（落下予防用紐２）が装着されたウレタン素材のスポンジ（スポンジ１）（図１（ｃ）の落下予防機能付き美化用具４）を使用する。ゴムまたは軟質樹脂による紐の先端は、長さ調節可能なリング状（チューブ３によって固定され落下予防紐２によって形成された輪）とし作業者の手首等で固定する。また、ゴムまたは軟質樹脂による紐（落下予防用紐２）に吸盤状の固定具（図３の吸盤７）を取り付けることも可能である。
【００３８】
作業者は水洗いまたは洗剤洗い作業中、誤ってスポンジが手から離れても、スポンジは手首等で連結されているため、スポンジを地面に落下させてしまうことを防止することができる。また、外装部に吸盤状の固定具を取り付けておくことでも地面に落下させてしまうことを防止することができる。上述の紐や吸盤状の固定具は作業者の任意および作業の状況により脱着可能なものである。
【００３９】
２）水分ふき取り乾燥作業に、長さ３０〜５０ｃｍ程度のゴムまたは軟質樹脂による紐（落下予防用紐２）が装着された天然または合成のセーム皮（セーム皮５）（図２（ｂ）の落下予防機能付き美化用具６）を使用する。ゴムまたは軟質樹脂による紐の先端は、長さ調節可能なリング状（チューブ３によって固定され落下予防紐２によって形成された輪）とし作業者の手首等で固定する。また、ゴムまたは軟質樹脂による紐（落下予防用紐２）に吸盤状の固定具（図３の吸盤７）を取り付けることも可能である。
【００４０】
作業者は水分ふき取り乾燥作業中、誤ってセーム皮が手から離れても、セーム皮は手首等で連結されているため、セーム皮を地面に落下させてしまうことを防止することができる。また、外装部に吸盤状の固定具を取り付けておくことでも地面に落下させてしまうことを防止することができる。上述の紐や吸盤状の固定具は作業者の任意および作業の状況により脱着可能なものである。
【００４１】
３）艶だしまたは外装保護剤の塗布作業に、長さ３０〜５０ｃｍ程度のゴムまたは軟質樹脂による紐（落下予防用紐２）が装着されたウレタン素材のスポンジ（スポンジ１）（図１（ｃ）の落下予防機能付き美化用具４）または不織布を使用する。ゴムまたは軟質樹脂による紐の先端は、長さ調節可能なリング状（チューブ３によって固定され落下予防紐２によって形成された輪）とし作業者の手首等で固定する。また、ゴムまたは軟質樹脂による紐（落下予防用紐２）に吸盤状の固定具（図３の吸盤７）を取り付けることも可能である。
【００４２】
作業者は艶だしまたは外装保護剤の塗布作業中、誤ってスポンジまたは不織布が手から離れても、スポンジまたは不織布は手首等で連結されているため、スポンジまたは不織布を地面に落下させてしまうことを防止することができる。また、外装部に吸盤状の固定具を取り付けておくことでも地面に落下させてしまうことを防止することができる。上述の紐や吸盤状の固定具は作業者の任意および作業の状況により脱着可能なものである。
【００４３】
【発明の効果】
以上説明したように、本発明によれば、美化作業中に落下させてしまうことを防ぐことができる落下予防機能付き美化用具を提供することができる。
【００４４】
すなわち本発明によれば、自動車や住居等の清掃・艶だしに代表される美化作業において、美化用具を落下させる危険がある垂直面や高所または十分な作業空間の確保が困難な場所でも美化用具を落下させることなく作業を遂行させることが可能となる。
【００４５】
また本発明によれば、美化用具には落下による塵や砂等が付着しないため、美化用具の交換や洗浄することが不要となる。
【００４６】
また本発明によれば、美化用具には落下による塵や砂等が付着しないため、塵や砂等の付着が原因による被美化物品の外装等を傷つけることを防止できる。
【図面の簡単な説明】
【図１】本発明の一実施の形態による落下予防機能付き美化用具の外観を示す斜視図であり、（ａ）は美化用具の一例のスポンジを示す図であり、（ｂ）は落下予防用紐を示す図であり、（ｃ）はスポンジと落下予防用紐とを組立てて成る落下予防機能付き美化用具を示す図である。
【図２】本発明の図１とは別の実施の形態による落下予防機能付き美化用具の外観を示す斜視図であり、（ａ）は美化用具の一例のセーム皮を示す図であり、（ｂ）はセーム皮と落下予防用紐とを組立てて成る落下予防機能付き美化用具を示す図である。
【図３】本発明の図１および図２とは別の実施の形態による落下予防機能付き美化用具の外観を示す斜視図である。
【符号の説明】
１  スポンジ
１ａ、１ｂ  穴
２  落下予防紐
２ａ  輪状部
２ｂ  先端部
３  チューブ
４  落下予防機能付き美化用具
５  セーム皮
５ａ、５ｂ  穴
５ｃ  折位置
６  落下予防機能付き美化用具
７  吸盤
８  落下予防機能付き美化用具
【図１】
2004159728.tif 000003
【図２】
2004159728.tif 000004
【図３】
2004159728.tif 000005